(57)【特許請求の範囲】
【請求項１】
被写体を撮像して映像信号を生成する撮像部と、
撮像された画像内の輪郭部分を強調する輪郭強調処理部であって、前記撮像部から出力される前記映像信号に基づいて前記輪郭部分を検出し、外部から入力された輪郭強調制御信号を利用して、前記輪郭部分を強調する輪郭強調処理部と、
前記撮像部の撮像動作を制御するための少なくとも２つの撮像制御信号を生成する撮像制御部と、
前記少なくとも２つの撮像制御信号の各々に対応した輪郭強調パラメータの中から、前記輪郭部分を強調する程度が最も弱い特性を持つ輪郭強調パラメータを選択して、前記輪郭部分を強調する程度を決定する輪郭強調制御信号を生成し、前記輪郭強調処理部に送信する輪郭強調制御部と
を備えた、映像信号処理装置。
【請求項２】
前記撮像制御部は、ズーム位置、シャッタ速度、絞り値、自動利得値、撮像装置本体の動き量、のうち２つ以上を制御する信号を前記少なくとも２つの撮像制御信号として生成する、請求項１に記載の映像信号処理装置。
【請求項３】
映像信号を高能率符号化する符号化部をさらに備え、
前記輪郭強調制御部は、前記符号化部の符号化状態を示す少なくとも１種類の符号化情報に応じて、前記輪郭部分を強調する程度を変更する前記輪郭強調パラメータを生成する、請求項１又は２に記載の映像信号処理装置。
【請求項４】
前記輪郭強調制御部は、前記少なくとも２つの撮像制御信号の各々に対応した輪郭強調パラメータとして少なくとも２つのゲイン値を生成し、生成した前記少なくとも２つのゲイン値の中から最小のゲイン値を選択し、
前記輪郭強調処理部は、検出した前記輪郭部分に対応する前記映像信号の成分に選択されたゲイン値を乗じて前記映像信号に加算する、請求項１または３に記載の映像信号処理装置。
【請求項５】
前記輪郭強調処理部は、前記映像信号およびフィルタ係数に基づいて前記輪郭部分を検出するフィルタを備えており、
前記輪郭強調処理部は、検出した前記輪郭部分に対応する前記映像信号の成分にゲイン値を乗じて前記映像信号に加算し、
前記輪郭強調制御部は、前記輪郭強調の程度が最も弱いフィルタ係数を前記輪郭強調制御信号として生成する、請求項１から４のいずれか１項に記載の映像信号処理装置。
【請求項６】
前記少なくとも２つの撮像制御信号はズーム位置信号を含み、
前記撮像制御部は、前記撮像部のズーム動作を制御するために前記ズーム位置信号を前記撮像部へ出力し、
前記輪郭強調制御部は、前記ズーム位置信号から現在のズーム速度を計算し、ズーム速度が速いほど前記輪郭強調の程度を弱める輪郭強調パラメータを生成する、請求項１から５のいずれか１項に記載の映像信号処理装置。
【請求項７】
前記少なくとも２つの撮像制御信号は装置本体の動き量を含み、
前記撮像制御部は、前記撮像部の手振れ補正動作を制御するために前記装置本体の動き量信号を前記撮像部へ出力し、
前記輪郭強調制御部は、前記装置本体の動き量が速いほど前記輪郭強調の程度を弱める輪郭強調パラメータを生成する、請求項１から５のいずれか１項に記載の映像信号処理装置。
【請求項８】
前記少なくとも２つの撮像制御信号はアイリスの絞り値を含み、
前記撮像制御部は、前記撮像部のアイリスの絞り量を制御するために絞り値を前記撮像部へ出力し、
前記輪郭強調制御部は、前記絞り値が開放に近いほど前記輪郭強調の程度を弱める輪郭強調パラメータを生成する、請求項１から５のいずれか１項に記載の映像信号処理装置。
【請求項９】
前記少なくとも２つの撮像制御信号はシャッタ速度値を含み、
前記撮像制御部は、前記撮像部のシャッタ速度を制御するためにシャッタ速度値を前記撮像部へ出力し、
前記輪郭強調制御部は、前記シャッタ速度が遅いほど前記輪郭強調する程度を弱める輪郭強調パラメータを生成する、請求項１から５のいずれか１項に記載の映像信号処理装置。
【請求項１０】
前記少なくとも２つの撮像制御信号は自動利得値を含み、
前記撮像制御部は、前記撮像部の自動利得量を制御するために自動利得値を前記撮像部へ出力し、
前記輪郭強調制御部は、前記自動利得値が大きいほど前記輪郭強調の程度を弱める輪郭強調パラメータを生成する、請求項１から５のいずれか１項に記載の映像信号処理装置。
【発明の詳細な説明】
【技術分野】
【０００１】
本発明は、映像信号処理に関する。より具体的には、本発明は、デジタルビデオカメラなどで用いられる映像信号の輪郭強調処理に関する。
【背景技術】
【０００２】
デジタルビデオカメラ等の一般的な撮像装置は、撮像手段と、映像信号処理手段と、符号化手段とを備えている。
【０００３】
撮像手段は、撮像光学系を通して被写体光（被写体からの光）を固体撮像素子に結像させて光電変換し、映像信号を生成する。映像信号処理手段は、撮像手段によって得られた映像信号に対して画質向上のための種々の信号処理を行う。そして符号化手段は、信号処理が行われた映像信号をＭＰＥＧ２などの符号化方式によりデータ量圧縮する。
【０００４】
被写体が撮影される条件は様々であるため、撮像装置の映像信号処理手段は、どのような撮影条件下においても安定して良好な画質を得るための制御を種々行っている。たとえば、撮像手段に対する、絞り、シャッタ速度、フォーカス、手振れ補正、ズーム動作の制御である。また、自動利得制御（ＡＧＣ）も行っている。さらに、映像信号処理手段は、画質向上のために、ガンマ補正処理や輪郭強調処理なども行っている。
【０００５】
たとえば、特許文献１および２は、カメラに代表される装置を開示している。
【０００６】
図１０は従来の撮像装置の構成を示す構成図である。
【０００７】
撮像装置は、撮像部２０と、種々の制御部２１〜２５と、撮像制御部４２と、映像信号処理部４４とを備えている。
【０００８】
撮像光学系１９に入射した被写体光は、撮像光学系１９のレンズ群１０、１１、１３、１４およびアイリス１２を介して撮像素子上に結像される。そして、被写体光は、撮像素子１５、ＣＤＳ回路１６およびＡＧＣ回路１７によってアナログ映像信号に変換され、さらにＡ／Ｄ変換器１８によって、デジタル映像信号に変換される。
【０００９】
次に、変換されたデジタル映像信号は、映像信号処理部４４に入力される。映像信号処理部４４のガンマ補正回路４０は、入力されたデジタル映像信号に対してガンマ補正処理を行う。次に、輪郭強調処理部４１は、ガンマ補正後の映像信号に対して輪郭強調処理を施す。具体的には、輪郭強調処理部４１は、ガンマ補正処理が行われた映像信号に対して、外部から受け取ったゲイン値を乗算することで、適正レベルとなるように輪郭成分信号を増幅する。輪郭強調処理部４１は、その結果得られた輪郭成分信号を出力端子４３から後段へと出力する。
【００１０】
上述の撮像光学系１９での処理に関し、撮像制御部４２は、種々の制御部２１〜２５を制御する。具体的には、撮像制御部４２は、ズーム制御部２１、アイリス制御部２２、ＯＩＳ（Ｏｐｔｉｃａｌ  Ｉｍａｇｅ  Ｓｔａｂｉｌｉｚｅｒ）制御部２３、シャッタ制御部２４、および、ＡＧＣ制御部２５を制御する。これらの制御により、あらゆる撮影条件においても、自動的に安定した画質を得ている。
【特許文献１】特開平２−６３２７１号公報
【特許文献２】特開２００２−６４７４５号公報
【発明の開示】
【発明が解決しようとする課題】
【００１１】
従来の輪郭強調処理方法には、様々な撮影条件に対応した効果的な輪郭強調処理ができないこと、符号化による画質低下と輪郭強調による画質向上のバランスをとることができないこと、および、複数の制御情報を用いるとメモリなどの回路規模が増加してコストアップを招いてしまうこと、が課題として存在していた。具体的には以下の通りである。
【００１２】
第１の例として、上述した課題は、被写体の照度が低下したときに顕著となる。
【００１３】
まず、撮像素子１５へ入力される被写体の照度が明るい場合は、輪郭部のコントラストが高い映像が得られ、輪郭強調効果が現れやすい。また輝度の高い領域が画面内に多いので信号対雑音（Ｓ／Ｎ）比も良好である。よって輪郭強調ゲイン値が大きく設定されていても不要なノイズの増幅はなく画質の向上を図ることができる。
【００１４】
一方、照度が低くなるに従い徐々にＳ／Ｎ比が悪化する。特に暗い平坦部にてノイズが目立つようになってくる。しかしながら、輪郭強調処理時には、照度にかかわらず、比較的大きなゲイン値が一律に与えられ、それにより輪郭成分信号が増幅されている。これでは、ノイズ成分までもが増幅され、非常に見栄えの悪い画質となる。また照度が低い場合は輪郭部のコントラストが低下し、輪郭強調処理を施してもその効果が現れにくい。
【００１５】
また、第２の例として、ズームやパンといった撮像光学系や撮像装置本体の動きによって被写体に動きが発生した場合にも、上述した課題が顕著となる。
【００１６】
まず、撮像光学系や撮像装置本体が動いていない静止撮影においては、被写体のフォーカスが合いやすく輪郭部もくっきりと撮像される。そこに輪郭強調処理を施せば、さらに輪郭がくっきりと強調され画質向上を図ることができる。
【００１７】
しかし、カメラをパンし、またはズームしながら撮影した場合、被写体が動くためにフォーカスが合いにくくなり、輪郭部がぼける。つまり高周波成分が少なくなるため、輪郭強調処理を施しても輪郭強調効果が現れにくい。
【００１８】
さらには、不要な信号成分を強調してしまうおそれもある。たとえば、ノイズ低減用の３次元ノイズリダクション回路（図示せず）が設けられている場合には、動いた輪郭部の近傍に残像または偽輪郭などの、被写体には存在しない不要な成分が出現することがある。輪郭強調処理は、そのような不要な成分も同時に強調する。さらに照度が低い状況であればＳ／Ｎ比も悪く、ノイズ成分だけを強調してしまい、画質低下をもたらす。
【００１９】
特許文献１には、低照度時に画質低下を抑える輪郭強調方法が提案されている。これは、ＡＧＣ回路１７へ与えるＡＧＣゲイン値に連動して輪郭強調係数を制御する技術である。
【００２０】
これは、ＡＧＣ回路１７によって強い輪郭強調処理が行われるような、非常に低い照度での問題には対応可能であるが、ＡＧＣ回路１７が動作を開始する照度ほどには低くないが、客観的にはかなり低い照度の場合には問題が残る。
【００２１】
撮像部における照度調整はＡＧＣ制御が開始される以前にも、アイリスの絞り量やシャッタ速度などを制御することによって行われている。例えば、１／６０秒のシャッタ速度でアイリス開放の場合には、照度が低くなっており、解像度の低下やＳ／Ｎ比の悪化が顕著になってくる。このように、ある単独条件のみを改善するだけでは、他の条件では問題が残されたままであり、複数のカメラ制御情報の条件を総合的に考慮しなければならない。
【００２２】
複数のカメラ制御情報を用いる例としては特許文献２の技術が存在する。特許文献２に示される方法は複数条件に基づく各パラメータの場合分けにより、パラメータセットをロードするように設定テーブルがメモリに保持されている。しかしこの構成では使用する撮像制御情報の数が増えるとテーブル量が増加し、メモリ量が増えるなどの大幅なコスト増加を招いてしまう。
【００２３】
また、輪郭強調処理を行うことにより、さらに他の問題も発生する。
【００２４】
たとえば、ビデオカメラで動画を撮影すると、映像信号が符号化され、動画データとして記録媒体に書き込まれる。符号化処理前に輪郭強調処理が行われると、その処理結果を受けた符号化処理時にブロック歪が増大し、画質劣化をもたらすことがある。よりよい画質（解像感）を得るための輪郭強調処理が、その後の画質劣化の原因になり、逆効果を招いているといえる。
【００２５】
以下、図１１を参照しながら、ブロック歪が増大する理由を説明する。図１１は、従来の撮像装置の符号化部８１の構成を示す。一例としてＭＰＥＧ２方式を用いた符号化を行う構成を示している。
【００２６】
以下、符号化部８１において行われる処理の流れを説明する。
【００２７】
まず、入力端子８０から映像信号が入力される。入力された映像信号はガンマ補正後の映像信号とする。
【００２８】
輪郭強調処理部４１は所定のゲイン値に基づき映像信号に輪郭強調処理を施す。輪郭強調された映像信号は、並べ替えメモリ５１に保持される。
【００２９】
並べ替えメモリ５１は符号化順に並べ替えられた符号化画像を出力する。動き補償予測部５３は、並べ替えメモリ５１から出力された符号化画像と参照画像メモリ５２から出力された参照画像とから動き補償を行って予測画像を生成する。減算器５４はこの予測画像と符号化画像との差分画像を求め、ＤＣＴ回路５５へ出力する。差分画像はＤＣＴ回路５５で直交変換され、量子化部５６でレート制御部６１から与えられる量子化パラメータに従って量子化される。その結果は可変長符号化部６０へ与えられるとともに、逆量子化部５７へ与えられる。可変長符号化部６０へ与えられたデータは、可変長符号化されて記録媒体８２に記録される。一方、逆量子化部５７へ与えられたデータは、先ほどの量子化パラメータに従い逆量子化され、逆ＤＣＴ回路５８にて逆直交変換され、先ほどの予測画像と加算され、参照画メモリに記憶される。なお、参照画メモリには参照画面に選ばれた画像のみが保持される。
【００３０】
レート制御部６１は、設定された目標とする記録ビットレートに符号化データが収まるように、量子化の強度を制御する。量子化の強度制御は、量子化パラメータの大きさを変更することで行う。
【００３１】
入力される画像の情報量は、常に刻々と変動している。一般に平坦部が多く動きの少ない画像は情報量が少なく、輪郭部の多い複雑な画像や動きの激しい画像は情報量が多い。情報量が多い画像を所定の記録ビットレートに収めるためには、情報量が少ない画像を同じ記録ビットレートに収めるよりも、より大きな量子化パラメータを用いて量子化しなければならない。その結果、量子化誤差の増加によるブロック歪が顕著となって現れる。
【００３２】
輪郭強調処理部４１における輪郭強調処理は、高周波成分の信号レベルを増加させるものである。したがって、符号化処理にて削除されるべき高周波成分が削除されにくくなり、多く残存するという結果をもたらす。すると、符号化部はさらに量子化パラメータを大きくして目標の記録ビットレートに収めようと働く。
【００３３】
このように、輪郭強調処理により解像感が向上する効果を狙っても、ブロック歪が増大して画質が劣化するという逆効果を招く。この現象は特に、画像の情報量に対して記録ビットレートが相対的に低すぎる場合に顕著になる。
【００３４】
また、レート制御部６１はレート制御を行うために符号化画像ごとの発生符号量を計測している。そして可変レート制御（ＶＢＲ）を行う場合は、画像情報量が増加したとき、量子化パラメータを上げるだけの制御でなく、少し量子化パラメータを上げるとともに、発生符号量が記録ビットレートに対して超過することをある程度認めるように制御を行う。よって、符号化による画質の変化の程度（画質劣化の影響）は量子化パラメータと発生符号の増加量という２つのパラメータに現れる。
【００３５】
また、目標の記録ビットレートで消費する記録容量と、実際に発生した符号量によって消費した記録容量との差分である累積誤差量の大きさに応じて量子化制御している場合には、累積誤差量に応じて発生符号量が制限される。よって、画質劣化の程度は、累積誤差量というパラメータにも現れる。
【００３６】
また、目標の記録ビットレートの高さも当然画質にかかわる。上記のようにブロック歪が増大して画質劣化をもたらすことは、画像の情報量に対して記録ビットレートが相対的に低すぎる場合に顕著になるからである。よって、画質劣化の程度は、目標の記録ビットレートというパラメータにも現れる。
【００３７】
上述の通り、輪郭強調処理のみでは画質を向上させることはできず、種々のパラメータに与える影響も考慮する必要がある。
【００３８】
本発明の目的は、どのような撮像条件下および／またはどのような符号化条件下において、適切な輪郭強調処理を行い良好な画質を得ることにある。
【課題を解決するための手段】
【００３９】
本発明による映像信号処理装置は、被写体を撮像して映像信号を生成する撮像部と、撮像された画像内の輪郭部分を強調する輪郭強調処理部であって、前記撮像部から出力される前記映像信号に基づいて前記輪郭部分を検出し、外部から入力された輪郭強調制御信号を利用して、前記輪郭部分を強調する輪郭強調処理部と、前記撮像部の撮像動作を制御するための少なくとも１つの撮像制御信号を生成する撮像制御部と、前記少なくとも１つの撮像制御信号に応じて、前記輪郭部分を強調する程度を決定する輪郭強調制御信号を生成し、前記輪郭強調処理部に送信する輪郭強調制御部とを備えている。
【００４０】
前記輪郭強調制御部は、前記少なくとも１つの撮像制御信号の各々に対応した輪郭強調パラメータを生成するパラメータ決定部と、前記輪郭強調パラメータの中から、前記輪郭部分を強調する程度が最も弱い特性を持つ輪郭強調パラメータを選択し、前記輪郭強調制御信号として生成する選択部とを備えていてもよい。
【００４１】
前記撮像制御部は、ズーム位置、シャッタ速度、絞り値、自動利得値、撮像装置本体の動き量、のうち１つ以上を制御する信号を前記撮像制御信号として生成してもよい。
【００４２】
本発明による他の映像信号処理装置は、画像内の輪郭部分を強調する輪郭強調処理部であって、映像信号に基づいて前記輪郭部分を検出し、外部から入力された輪郭強調制御信号を利用して前記輪郭部分を強調した映像信号を出力する輪郭強調処理部と、映像信号を高能率符号化する符号化部と、前記符号化部の符号化状態を示す少なくとも１種類の符号化情報に応じて前記輪郭部分を強調する程度を変更する輪郭強調制御信号を生成する輪郭強調制御部とを備えている。
【００４３】
前記輪郭強調制御部は、前記少なくとも１種類の符号化情報の各々に対応した輪郭強調パラメータを生成するパラメータ決定部と、前記輪郭強調パラメータの中から、前記輪郭部分を強調する程度が最も弱い特性を持つ輪郭強調パラメータを選択し、前記輪郭強調制御信号として生成する選択部とを備えていてもよい。
【００４４】
前記符号化部は、量子化パラメータ、符号量、目標符号量に対する発生符号量の累積誤差量、目標ビットレート値、のうち少なくとも１種類の符号化情報を出力してもよい。
【００４５】
前記映像信号処理装置は、映像信号を高能率符号化する符号化部をさらに備え、前記パラメータ決定部は、前記符号化部の符号化状態を示す前記少なくとも１種類の符号化情報に応じて、前記輪郭部分を強調する程度を変更する前記輪郭強調パラメータをさらに生成してもよい。
【００４６】
前記輪郭強調処理部は、検出した前記輪郭部分に対応する前記映像信号の成分にゲイン値を乗じて前記映像信号に加算し、前記輪郭強調制御部は、前記パラメータ決定部の各々で生成されたゲイン値の中から最小のゲイン値を選択してもよい。
【００４７】
前記輪郭強調処理部は、前記映像信号およびフィルタ係数に基づいて前記輪郭部分を検出するフィルタを備えており、前記輪郭強調処理部は、検出した前記輪郭部分に対応する前記映像信号の成分にゲイン値を乗じて前記映像信号に加算し、前記輪郭強調制御部は、前記輪郭強調の程度が最も弱いフィルタ係数を前記輪郭強調信号として生成してもよい。
【００４８】
前記少なくとも１つの撮像制御信号はズーム位置信号であって、前記撮像制御部は、前記撮像部のズーム動作を制御するために前記ズーム位置信号を前記撮像部へ出力し、前記パラメータ決定部は、前記ズーム位置信号から現在のズーム速度を計算し、ズーム速度が速いほど前記輪郭強調の程度を弱める輪郭強調パラメータを生成してもよい。
【００４９】
前記少なくとも１つの撮像制御信号は装置本体の動き量であって、前記撮像制御部は、前記撮像部の手振れ補正動作を制御するために前記装置本体の動き量信号を前記撮像部へ出力し、前記パラメータ決定部は、前記装置本体の動き量が速いほど前記輪郭強調の程度を弱める輪郭強調パラメータを生成してもよい。
【００５０】
前記少なくとも１つの撮像制御信号はアイリスの絞り値であって、前記撮像制御部は、前記撮像部のアイリスの絞り量を制御するために絞り値を前記撮像部へ出力し、前記パラメータ決定部は、前記絞り値が開放に近いほど前記輪郭強調の程度を弱める輪郭強調パラメータを生成してもよい。
【００５１】
前記少なくとも１つの撮像制御信号はシャッタ速度値であって、前記撮像制御部は、前記撮像部のシャッタ速度を制御するためにシャッタ速度値を前記撮像部へ出力し、前記パラメータ決定部は、前記シャッタ速度が遅いほど前記輪郭強調する程度を弱める輪郭強調パラメータを生成してもよい。
【００５２】
前記少なくとも１つの撮像制御信号は自動利得値であって、前記撮像制御部は、前記撮像部の自動利得量を制御するために自動利得値を前記撮像部へ出力し、前記パラメータ決定部は、前記自動利得値が大きいほど前記輪郭強調の程度を弱める輪郭強調パラメータを生成してもよい。
【００５３】
前記少なくとも１種類の符号化情報は量子化パラメータであって、前記符号化部は、符号化に用いた前記量子化パラメータを前記パラメータ決定部へ出力し、前記パラメータ決定部は、前記量子化パラメータが大きいほど前記輪郭強調の程度を弱める輪郭強調パラメータを生成してもよい。
【００５４】
前記少なくとも１種類の符号化情報は符号量であって、前記符号化部は、符号化により発生した前記符号量を前記パラメータ決定部へ出力し、前記パラメータ決定部は、前記符号量が大きいほど前記輪郭強調度合いを弱める輪郭強調パラメータを生成してもよい。
【００５５】
前記少なくとも１種類の符号化情報は、目標符号量に対する発生符号量の累積誤差量であって、前記符号化部は、前記累積誤差量を前記パラメータ決定部へ出力し、前記パラメータ決定部は、前記累積誤差量が大きいほど前記輪郭強調の程度を弱める輪郭強調パラメータを生成してもよい。
【００５６】
前記少なくとも１種類の符号化情報は目標ビットレート値であって、前記符号化部は、前記目標ビットレート値を前記パラメータ決定部へ出力し、前記パラメータ決定部は、前記目標ビットレート値が小さいほど前記輪郭強調の程度を弱める輪郭強調パラメータを生成してもよい。
【発明の効果】
【００５７】
本発明によれば、撮像制御情報を用いることにより、様々な撮影条件下で最適な、輪郭強調処理を行うことができる。また、符号化情報を用いることにより、符号化による画質劣化を招くことなく適切な輪郭強調処理を行うことができる。また、あらゆる撮像条件と符号化状態に対応した最適な輪郭強調処理を行うことができる。よって、常に画質の向上を図ることが可能になる。また、非常に処理量の少ない簡単な方法で実現できるので、回路規模やメモリ量などのコスト増大を招くこともなく導入可能である。
【発明を実施するための最良の形態】
【００５８】
以下、添付の図面を参照しながら、本発明による映像信号処理装置の実施形態を説明する。
【００５９】
（実施形態１）
図１は、本実施形態による映像信号処理装置１００の構成を示すブロック図である。
【００６０】
映像信号処理装置１００は、たとえばデジタルスチルカメラ、カムコーダである。ただし、図１には、一般的なデジタルスチルカメラやカムコーダのすべての構成は示していない。図１の構成に加えて、たとえば映像信号を圧縮符号化処理する回路、記録媒体に記録するための入出力回路、撮影した映像を表示する表示回路等を設ければよい。それらの一般的な構成の説明は省略する。
【００６１】
映像信号処理装置１００は、撮像部２０と、種々の制御部２１〜２５と、撮像制御部４２と、出力端子４３と、映像信号処理部４４と、輪郭強調制御部４５とを備えている。
【００６２】
撮像部２０は、撮像光学系１９、撮像素子１５、ＣＤＳ回路１６、ＡＧＣ回路１７、Ａ／Ｄ変換器１８を備えている。撮像光学系１９は、たとえば固定レンズ１０、ズームレンズ１１、アイリス１２、光学手振れ補正用レンズ１３、フォーカスレンズ１４を含む。
【００６３】
また、信号処理部４４は、ガンマ補正回路４０、輪郭強調処理部４１を含む。
【００６４】
種々の制御部２１〜２５は、ズーム制御部２１、アイリス制御部２２、ＯＩＳ（Ｏｐｔｉｃａｌ  Ｉｍａｇｅ  Ｓｔａｂｉｌｉｚｅｒ）制御部２３、シャッタ制御部２４、ＡＧＣ制御部２５である。
【００６５】
輪郭強調制御部４５は、パラメータ決定部３１〜３５および選択部３６を含む。
【００６６】
以下、各構成要素の機能を詳細に説明する。
【００６７】
撮像光学系１９を通過した被写体光は、撮像素子１５の受光面で結像し、撮像素子１５によって電気信号に変換されて映像信号が生成される。映像信号は、ＣＤＳ回路１６に入力されて相関２重サンプリングされた後、ＡＧＣ回路１７にて適正レベルに増幅され、Ａ／Ｄ変換器１８にてＡ／Ｄ変換されて、デジタル映像信号に変換される。
【００６８】
上述の撮影時において、撮像制御部４２は、撮像光学系１９や撮像素子１５、ＡＧＣ回路１７などの撮像部２０内の複数の構成要素を制御する。以下、撮像制御部４２の主要な６つの動作を説明する。
【００６９】
第１に、撮像制御部４２は、ユーザのズーム操作に応じてズームレンズ１１を動作させ、ズーム撮影を実現する。撮像制御部４２は、ズーム制御部２１に対し、たとえばズームレンズ１１の位置または移動量を特定するためのズーム位置情報を与える。それにより、ズーム制御部２１はズームレンズ１１を駆動し、ズーム制御が実現される。
【００７０】
第２に、撮像制御部４２は、被写体の光量を測定することによりアイリス１２の絞り量を変化させて最適な露出での撮影を可能とする。撮像制御部４２は、アイリス制御部２２に対し、絞り量情報を与える。それにより、アイリスの絞り制御が実現される。
【００７１】
第３に、撮像制御部４２は、映像信号処理装置１００本体の動き量を検出した結果に基づいて手振れ量を計算し、手振れ量をキャンセルするように光学手振れ補正用レンズ１３を制御する。この制御のために、撮像制御部４２は、ＯＩＳ制御部２３に対し、映像信号処理装置１００本体の動き量や補正量情報を与える。なお、映像信号処理装置１００本体の動き量は、たとえば、角速度センサーを機器に別途備えてもよいし、映像信号の動きベクトル量を計算してもよい。また、パン・チルトのように、映像信号処理装置１００本体を意図的に動かして撮影する場合には、手振れ補正を行わないようにするために、映像信号処理装置１００本体の動き量をＯＩＳ制御部２３に与えてもよいし、撮像制御部４２が補正量を計算する際に考慮してもよい。
【００７２】
第４に、撮像制御部４２は、撮像素子１５の光量蓄積時間を制御して、撮像した被写体の明るさを制御する。この制御を電子シャッタ制御という。この電子シャッタ制御のために、撮像制御部４２はシャッタ制御部２４に対し、シャッタ速度情報を送る。なお、撮像素子１５の前（光入射側の位置）にメカニカルシャッタ（図示せず）を備える場合には、撮像制御部４２はメカニカルシャッタに対してもシャッタ速度制御を行う。
【００７３】
第５に、撮像制御部４２は、映像信号レベルを増幅するためのＡＧＣ回路１７を制御する。被写体の照度が低下していくに従って、映像信号の信号レベルを増幅する必要がある。そのため、撮像制御部４２は、比較的大きな自動利得値（ＡＧＣゲイン値）をＡＧＣ制御部２５に対して与える。逆に、被写体の照度が高くなるに従って、映像信号の信号レベルを増幅する必要がなくなるため、比較的小さなＡＧＣゲイン値をＡＧＣ制御部２５に対して与える。
【００７４】
第６に、撮像制御部４２は、フォーカスレンズ１４を制御して、被写体からの光が撮像素子１５上に結像させる。すなわち、被写体に対してフォーカスを合わせる。
【００７５】
撮像制御部４２は、このような複数の撮像動作制御を常に行っている。これにより、あらゆる撮影条件においても、自動的に安定した画質を得ている。
【００７６】
映像信号処理部４４は、デジタル映像信号を受け取り、ガンマ補正処理を行う。ガンマ補正処理は広く知られているため、その説明は省略する。
【００７７】
輪郭強調処理部４１は、ガンマ補正後の映像信号に対して輪郭強調処理を施す。このとき、輪郭強調処理部４１は、後述の輪郭強調制御部４５から、輪郭強調のためのゲイン値を受け取っており、ガンマ補正後の映像信号とそのゲイン値を乗算する。これにより輪郭成分信号を増幅する。輪郭強調処理部４１は、その結果得られた輪郭成分信号を出力端子４３から後段へと出力する。
【００７８】
図２は、輪郭強調処理部４１の詳細な構成を示す。輪郭強調処理部４１は、輪郭成分抽出部９１および加算器９３を有している。
【００７９】
入力端子９０より入力された映像信号は、輪郭成分抽出部９１および加算器９３に入力される。すると輪郭成分抽出部９１は、映像信号の高周波成分を抽出し、輪郭成分信号として乗算器９２に入力する。輪郭成分信号は、画像内の被写体等の輪郭部分に対応する映像信号である。
【００８０】
乗算器９２は、輪郭成分信号と、輪郭強調制御部４５から受け取ったゲイン値とを乗算することで、輪郭成分信号を増幅する。増幅された輪郭成分信号は加算器９３にて入力信号と加算され、出力端子９４から出力される。出力された映像信号は輪郭強調処理が実施された映像信号となる。なお、出力端子９４には、先に説明した出力端子４３と接続されている。
【００８１】
以下、このように構成された映像信号処理装置１００の動作を説明する。
【００８２】
撮像制御部４２は、撮像部２０の各構成要素を制御するため、各種の撮像制御信号を出力している。各種の撮像制御信号とは、上述の通り、ズーム位置情報、絞り値情報、手振れ補正用の映像信号処理装置１００本体の動き量情報、シャッタ速度情報、ＡＧＣゲイン値情報である。これらの撮像制御信号は並列して輪郭強調制御部４５にも与えられる。
【００８３】
輪郭強調制御部４５の選択部３６は、パラメータ決定部３１〜３５によって決定されたパラメータのうちのひとつを選択して出力する。出力先は信号処理部４４である。パラメータ決定部３１〜３５の各機能は以下のとおりである。なお、パラメータ決定部３１〜３５がゲイン値の決定のために利用する情報は、撮像制御部４２から出力された信号に基づいて得られる。
【００８４】
第１のパラメータ決定部３１は、ズーム速度に連動して、適切な輪郭強調ゲイン値（パラメータ）を算出する。ズーム速度はズーム位置情報の時間変化を測定して求めることができる。
【００８５】
図３Ａは、第１のパラメータ決定部３１に保持されている、ズーム速度とゲイン値との関係を示している。第１のパラメータ決定部３１は、ズーム速度が速いほどゲイン値が小さくなるように輪郭強調ゲイン値を決定する。
【００８６】
その理由は、以下のとおりである。ズーム速度が速いほど、撮影された画像の輪郭部がぼける場合が多い。このような場合には、画像中に高周波成分が少なくなるので、輪郭強調処理を施してもその効果が現れにくくなる。また、Ｓ／Ｎ比が悪い状況や、偽輪郭が輪郭周辺に出現する場合には、ノイズや偽輪郭という不要成分を強調してしまうおそれがある。そこで、ズーム速度が大きくなるにつれて輪郭強調ゲイン値が小さくなるようにした。
【００８７】
第２のパラメータ決定部３２は、本体の動き量に連動して輪郭強調ゲイン値を算出する。本体の動き量情報は、撮像制御部４２から出力された、ＯＩＳ制御のための信号である。
【００８８】
図３Ｂは、第２のパラメータ決定部３２に保持されている、映像信号処理装置１００本体の動き量とゲイン値との関係を示している。第２のパラメータ決定部３２は、本体の動き量が大きいほどゲイン値が小さくなるように輪郭強調ゲイン値を決定する。
【００８９】
その理由は、ズーム同様、映像信号処理装置１００本体の動き量が大きいほど、画像がぼける場合が多いためである。そこで、本体の動き量が大きくなるほど、輪郭強調ゲイン値が小さくなるようにした。
【００９０】
第３のパラメータ決定部３３は、絞り値に連動して輪郭強調ゲイン値を算出する。
【００９１】
図３Ｃは、第３のパラメータ決定部３３に保持されている、絞り値とゲイン値との関係を示している。第３のパラメータ決定部３３は、絞り値が大きいほどゲイン値が小さくなるように輪郭強調ゲイン値を決定する。
【００９２】
その理由は、以下のとおりである。絞り値が開放に近いほど、被写体照度が低い場合が多い。このようなときは、映像信号の輪郭部のような高周波成分が減少し、ノイズが増える傾向にある。すると、高周波成分が減少するため、輪郭強調処理を施してもその効果が現れにくい。さらにＳ／Ｎ比が悪い場合、すなわちノイズが多い場合には、ノイズ成分が増幅されることになり画質が低下する。特に暗い平坦部にてノイズが目立つようになってくる。そこで、絞り値が大きくなるほど、輪郭強調ゲイン値が小さくなるようにした。
【００９３】
第４のパラメータ決定部３４は、シャッタ速度に連動して輪郭強調ゲイン値を算出する。
【００９４】
図３Ｄは、第４のパラメータ決定部３４に保持されている、シャッタ速度とゲイン値との関係を示している。第４のパラメータ決定部３４は、シャッタ速度が遅いほどゲイン値が小さくなるように輪郭強調ゲイン値を決定する。
【００９５】
基本的には、非常に明るい被写体の場合は、撮像制御部４２は、アイリス１２を閉じる方向へ制御し、さらにシャッタ速度も高速にすることにより光量制限の制御を行っている。逆に、シャッタ速度が遅いと、被写体照度が低い場合が多い。被写体が暗くなると、アイリス１２を開きつつ、シャッタ速度も遅くして蓄積光量を増加させるためである。被写体が暗いときは、高周波成分が減少するため輪郭強調処理を施してもその効果が現れにくく、Ｓ／Ｎ比が悪い場合にはノイズ成分が増幅されることになり画質が低下する。よって、図３Ｄに示すように、シャッタ速度が遅いほど輪郭強調ゲイン値が小さくなるようにした。
【００９６】
第５のパラメータ決定部３５は、ＡＧＣ値に連動して輪郭強調ゲイン値を算出する。
【００９７】
図３Ｅは、第５のパラメータ決定部３５に保持されている、ＡＧＣ値とゲイン値との関係を示している。
【００９８】
ＡＧＣ値が大きいほど、被写体照度が低い。このようなときは、映像信号の輪郭部のような高周波成分が減少し、ノイズが増える傾向にある。よって、図３Ｅに示すように、ＡＧＣ値が大きいほど輪郭強調ゲイン値が小さくなるようにした。
【００９９】
なお、図３Ａ〜図３Ｅの縦軸に示された値のうち、Ｂａ〜Ｂｅは、対応する各パラメータのうちで、ノイズが目立ちにくいと思われるレベルのうち、最も高いレベルを表している。
【０１００】
選択部３６は、第１〜第５のパラメータ決定部３１〜３５によってそれぞれ決定された各輪郭強調ゲイン値のうち最小のものを選択する。各輪郭強調ゲイン値のうち最小のゲイン値を採用する理由は、上述のズーム位置情報、絞り値情報、映像信号処理装置１００本体の動き量情報、シャッタ速度情報、ＡＧＣゲイン値情報のすべての条件下において、ノイズや偽輪郭という不要な信号成分の増幅を最小限に抑えるためである。
【０１０１】
輪郭強調制御部４５は、選択した輪郭強調ゲイン値を輪郭強調制御信号として、輪郭強調処理部４１へ出力する。輪郭強調処理部４１は、図２に示すとおり、この輪郭強調ゲイン値を輪郭成分に乗算して、映像信号に輪郭強調処理を施す。
【０１０２】
なお、撮像状態が刻々と変わるとき、選択部３６にて選択される輪郭強調ゲイン値が激しく変動する可能性がある。すると同じ物体の輪郭部分の解像感が変動して見づらい画質になる。輪郭強調ゲイン値の急激な変動を回避するために、選択部３６は、出力する輪郭強調ゲイン値に時定数を持たせるか、直前の値からの変化幅を規定するなどの処理を施して、輪郭強調ゲイン値を出力するようにすることが望ましい。
【０１０３】
図４は、輪郭強調ゲイン値に変化幅を持たせたときの選択部３６からの出力信号の応答（輪郭強調ゲイン値）を示す。図４によると、点線で示すように、時刻によって急に変動する最小ゲインが選択されているが、直前のゲイン値からの変化幅を小さく設定されることにより、実際には実線で示すようなゆるやかな応答になっている。
【０１０４】
なお、上記の複数の撮像制御信号の全てを使用する必要はなく、一部のみを使用することももちろん可能である。また、同じ撮像制御信号を用いていても、図３Ａ−３Ｅに例示した輪郭強調ゲイン値の算出特性と異なる特性を設定してもよい。また、上記の複数の撮像制御信号の例は一例であって、他の撮像制御信号を追加した場合も、上記と同様の処理方法を行うことができる。
【０１０５】
図５は、映像信号処理装置１００の処理の手順を示すフローチャートである。
【０１０６】
ステップＳ１において、撮影開始に伴って撮像制御部４２による各種制御が開始されると、撮像制御信号の出力が開始される。
【０１０７】
ステップＳ２において、パラメータ決定手段３１〜３５は、撮像制御部４２から受け取った撮像制御信号と、図３Ａ−３Ｅに示す各グラフとに基づいて、輪郭強調ゲイン値を決定する。
【０１０８】
ステップＳ３では、パラメータ決定手段３１〜３５のすべてが、撮像制御信号に対応する輪郭強調ゲイン値を決定したか否かが判断される。すべてについてまだ輪郭強調ゲイン値が決定されていない場合には、処理はステップＳ２に戻り、パラメータ決定手段３１〜３５のすべてが輪郭強調ゲイン値を決定し終えるまで繰り返される。すべてについて輪郭強調ゲイン値が決定された場合には、処理はステップＳ４に進む。
【０１０９】
ステップＳ４では、選択部３６は、全ての撮像制御信号に対応する輪郭強調ゲイン値のうち、最も小さい輪郭強調ゲイン値を選択する。選択された輪郭強調ゲイン値は、輪郭強調処理部４１に送られる。
【０１１０】
ステップＳ５において、輪郭強調処理部４１は受け取った輪郭強調ゲイン値を適用して、輪郭強調処理を行う。
【０１１１】
以上の処理によれば、様々な撮影条件下で、ノイズや偽輪郭などの不要な信号成分の増幅を最小限に抑えた輪郭強調処理を行うことができる。
【０１１２】
（実施形態２）
図６は、本実施形態による映像信号処理装置２００の構成を示すブロック図である。
【０１１３】
映像信号処理装置２００は、輪郭強調処理部４１、入力端子８０、符号化部８１、記録媒体８２、輪郭強調制御部８３を備えている。
【０１１４】
輪郭強調処理部４１は、実施形態１で説明したとおりであるため、説明は省略する。
【０１１５】
符号化部８１は、映像信号を目標の記録ビットレートに収まるように符号化して記録媒体に記録する。レート制御部６１は、このときの符号量の制御を行っている。特に、レート制御部６１は可変レート制御（ＶＢＲ）を行うものとする。
【０１１６】
レート制御に際して使用されるパラメータは、量子化パラメータ、発生符号量、累積誤差量、目標の記録ビットレートである。なお、「累積誤差量」とは、目標の記録ビットレートで消費する記録容量と実際に発生した符号量によって消費した記録容量との差分として求められる。
【０１１７】
符号化部８１は、種々の構成要素を備えている。具体的には、符号化部８１は、並べ替えメモリ５１、参照画像メモリ５２、動き補償予測部５３、減算器５４、ＤＣＴ回路５５、量子化部５６、逆量子化部５７、逆ＤＣＴ回路５８、加算器５９、可変長符号化部６０およびレート制御部６１を備えている。
【０１１８】
並べ替えメモリ５１は符号化順に並べ替えられた符号化画像を出力する。動き補償予測部５３は、並べ替えメモリ５１から出力された符号化画像と参照画像メモリ５２から出力された参照画像とから動き補償を行って予測画像を生成する。減算器５４はこの予測画像と符号化画像との差分画像を求め、ＤＣＴ回路５５へ出力する。差分画像はＤＣＴ回路５５で直交変換され、量子化部５６でレート制御部６１から与えられる量子化パラメータに従って量子化される。その結果は可変長符号化部６０へ与えられるとともに、逆量子化部５７へ与えられる。可変長符号化部６０へ与えられたデータは、可変長符号化されて記録媒体８２に記録される。一方、逆量子化部５７へ与えられたデータは、先ほどの量子化パラメータに従い逆量子化され、逆ＤＣＴ回路５８にて逆直交変換され、先ほどの予測画像と加算され、参照画メモリに記憶される。なお、参照画メモリには参照画面に選ばれた画像のみが保持される。
【０１１９】
輪郭強調制御部８３は、選択部３６、および、パラメータ制御部７１〜７４を有している。パラメータ決定部７１〜７４の各機能は以下のとおりである。なお、パラメータ決定部７１〜７４がゲイン値の決定のために利用する情報は、レート制御部６１から出力された信号に基づいて得られる。
【０１２０】
第６のパラメータ決定部７１は、量子化パラメータに連動して輪郭強調ゲイン値を算出する。
【０１２１】
図７Ａは、第６のパラメータ決定部７１に保持されている、量子化パラメータとゲイン値との関係を示している。量子化パラメータが大きいほど、量子化誤差によるブロック歪が増加する。これを防ぐように輪郭強調ゲインは小さくする方が良い。よって図７Ａに示すように、量子化パラメータが大きいほどゲイン値が小さくなるように輪郭強調ゲイン値を決定することとした。
【０１２２】
第７のパラメータ決定部７２は、発生符号量に連動して輪郭強調ゲイン値を算出する。
【０１２３】
図７Ｂは、第７のパラメータ決定部７２に保持されている、符号量とゲイン値との関係を示している。発生符号量が大きいほど、その後に発生符号量を抑えるためのレート制御がかかることになる。そのため、輪郭強調ゲインは小さくする方が良い。よって図７Ｂに示すように、発生符号量が大きいほどゲイン値が小さくなるように輪郭強調ゲイン値を決定することとした。
【０１２４】
第８のパラメータ決定部７３は、上記累積誤差量に連動して輪郭強調ゲイン値を算出する。
【０１２５】
図７Ｃは、第８のパラメータ決定部７３に保持されている、累積誤差量とゲイン値との関係を示している。累積誤差量が大きくなることは、目標の記録レートより符号量を消費しすぎている状態を意味する。累積誤差量が大きくなると、その後は発生符号量を抑えるためのレート制御が行われることになるので、輪郭強調ゲインは小さくする方が良い。よって図７Ｃに示すように、累積誤差量が大きいほどゲイン値が小さくなるように輪郭強調ゲイン値を決定する。
【０１２６】
第９のパラメータ決定部７４は、目標記録ビットレートに連動して輪郭強調ゲイン値を算出する。
【０１２７】
図７Ｄは、第８のパラメータ決定部７３に保持されている、目標記録ビットレートとゲイン値との関係を示している。目標記録ビットレートが小さいとき、当然量子化パラメータは大きくなるので、輪郭強調ゲインは小さくする方が良い。よって図７Ｄに示すように、目標記録ビットレートが小さいほどゲイン値が小さくなるように輪郭強調ゲイン値を決定することとした。
【０１２８】
なお、図７Ａ〜７Ｄの縦軸に示された値のうち、Ｃａ〜Ｃｄは、対応する各パラメータのうちで、ノイズが目立ちにくいと思われるレベルのうち、最も高いレベルを表している。
【０１２９】
選択部３６は、第６〜第９のパラメータ決定部で上記方法で決定された各輪郭強調ゲイン値のうち最小のものを選択する。輪郭制御部４５は、選択した輪郭強調ゲイン値を、輪郭強調処理部４１へ出力する。輪郭強調処理部４１は、図２に示すとおり、この輪郭強調ゲイン値を輪郭成分に乗算して、映像信号に輪郭強調処理を施す。
【０１３０】
なお、符号化難易度が刻々と変わるとき、選択部３６にて選択される輪郭強調ゲイン値が激しく変動する可能性がある。すると同じ物体の輪郭部分の解像感が変動して見づらい画質になる。これを回避するために、選択部３６は、出力する輪郭強調ゲイン値に時定数を持たせるか、直前の値からの変化幅を規定するなどの処理を施して、輪郭強調ゲイン値を出力するようにすることが望ましい。この応答性の動作は実施形態１と同じである。
【０１３１】
なお、上記の複数の符号化情報の全てを使用する必要はなく、一部のみを使用することももちろん可能である。また、同じ符号化情報を用いていても、図７Ａ−７Ｄに例示した輪郭強調ゲイン値の算出特性と異なる特性を設定してもよい。また、上記の複数の符号化情報の例は一例であって、他の符号化情報を追加した場合も、上記と同様の処理方法を行うことができる。
【０１３２】
本実施形態による映像信号処理装置２００の動作は、実施形態１に関連した図５と概ね同じである。相違点は、図５の「撮影制御信号」に代えて、レート制御部６１から出力された信号が用いられる点である。
【０１３３】
（実施形態３）
図８は、本実施形態による映像信号処理装置３００の構成を示すブロック図である。図８に示す映像信号処理装置３００は実施形態１にかかる映像信号処理装置１００と、実施形態２にかかる映像信号処理装置２００とを組み合わせた構成になっている。同じ機能を有する構成要素には、図１および図６に付したと同じ参照符号を付し、その説明は省略する。
【０１３４】
輪郭強調制御部８４はパラメータ決定部３１〜３５および７１〜７４を備えている。各パラメータ決定部は、実施形態１及び実施形態２で述べたとおりに動作して、各々輪郭強調ゲイン値を決定する。
【０１３５】
選択部３０１は、パラメータ決定部３１〜３５および７１〜７４が決定した各輪郭強調ゲイン値のうち、最小のゲイン値を選択する。輪郭強調制御部８４は、選択した輪郭強調ゲイン値を、輪郭強調処理部４１へ出力する。輪郭強調処理部４１は、図２に示すとおり、この輪郭強調ゲイン値を輪郭成分に乗算して、映像信号に輪郭強調処理を施す。
【０１３６】
なお、撮像状態や符号化難易度が刻々と変わるとき、選択部３０１にて選択される輪郭強調ゲイン値が激しく変動する可能性がある。すると同じ物体の輪郭部分の解像感が変動して見づらい画質になる。これを回避するために、選択部３０１は、出力する輪郭強調ゲイン値に時定数を持たせるか、直前の値からの変化幅を規定するなどの処理を施して、輪郭強調ゲイン値を出力するようにすることが望ましい。この応答性の動作は実施形態１と同じである。
【０１３７】
なお、上記の複数の撮像制御信号及び符号化情報の全てを使用する必要はなく、一部のみを使用することももちろん可能である。また、同じ撮像制御信号及び符号化情報を用いていても、図３Ａ−３Ｅ及び図７Ａ−７Ｄに例示した輪郭強調ゲイン値の算出特性と異なる特性を設定してもよい。また、上記の複数の撮像制御信号及び符号化情報の例は一例であって、他の撮像制御信号及び符号化情報を追加した場合も、上記と同様の処理方法を行うことができる。
【０１３８】
なお、実施の形態１〜３において、輪郭強調制御信号として輪郭強調ゲイン値を使用して本発明の実施の形態を説明した。それ以外に、輪郭強調制御信号として、輪郭成分抽出部９１を構成するフィルタに与えるフィルタ係数を用いることも可能である。
【０１３９】
この場合は、あらかじめ複数種類のフィルタ係数が用意されていて、それぞれは異なる係数であり、それにより、フィルタの周波数特性を変動させる。これらの係数をあらかじめ輪郭強調度合い（程度）を強めるものから弱めるものまで順番付けしておき、各パラメータ決定部で入力制御信号に応じた順番を決定し、選択部３０１にて最も弱い特性の順番を選択するようにすればよい。例えば弱い係数ほど小さな番号を与えるとすると、選択部３０１は最小の番号を選択する。これにより本発明の目的を達成できる。
【０１４０】
図９は、輪郭成分抽出部９１に備えられたハイパスフィルタに与える複数種類のフィルタ係数に基づく周波数特性を示す。各周波数特性は番号（１）〜（５）があらかじめ設定されており、番号の小さい方ほど、輪郭強調の程度が弱いという定義になっている。各輪郭強調パラメータはこれらの番号のいずれかをとり、選択部にて最小の番号を選択すればよい。なお、輪郭成分抽出部９１の構成は他にも考えられる。バンドパスフィルタやローパスフィルタを用いる構成でも良く、用いるフィルタに適合する係数を選ぶことにより、上記と同様の処理方法を行うことができる。
【０１４１】
以上、本発明の実施形態を説明した。
【０１４２】
上述の実施形態では、撮像制御情報を複数種類用いる例を挙げたが、種類は１つでもよい。１種類の撮像制御情報であっても、図３Ａ等を用いるとノイズを低減できるようなゲイン値を選択できるためである。
【０１４３】
なお、上述の各実施形態に関する図３Ａ−３Ｅ、図７Ａ−７Ｄでは、横軸の情報は、デジタル値として撮像制御部４２から出力される。たとえば図３Ａの「ズーム速度」は、正規化された８ビットのデジタル情報として、パラメータ決定部３１およびズーム制御部２１に与えられる。これは、ズーム速度を示す値であるが、ズーム速度そのものであってもよい。
【０１４４】
また、図３Ａ−３Ｅ、図７Ａ−７Ｄのグラフの形状は例であり、どの位置で折れるかは適宜決定することができる。たとえば、横軸が８ビットのデジタル値（１０進数で０〜２５５）として表されるときは、その範囲の１／３の位置で一度折れ、２／３の位置でさらに折れるとしてもよい。ユーザがその位置を設定できるようにしてもよい。なお、グラフ形式ではなく、横軸の情報が入力として与えられるとゲイン値を求めることが可能な関数（数式）として表現されていてもよい。
【０１４５】
実施形態の説明のうち、特に実施形態２および３にかかる説明では、輪郭強調処理部４１と、符号化部８１とを別個の構成要素として説明した。しかしながら、これらを１つにまとめ、１チップとして実装させてもよい。
【０１４６】
また、実施形態３の説明に関連して、図８では、輪郭強調処理部４１は１つのみ設けていた。しかしながら、輪郭強調処理部４１を２つ設けてもよい。そのうち一方は、撮像部２０からの映像信号を受けて輪郭強調処理を行い、他方は、当該輪郭強調処理がなされたその映像信号に対してさらに輪郭強調処理を行ってもよい。記録媒体８２への録画時には、２つの輪郭強調処理部４１によって処理された映像信号が利用される。一方、録画は行っていないがリアルタイムの映像をモニタ（図示せず）に表示する場合には、撮像部２０からの信号を輪郭強調処理した映像信号が利用される。
【０１４７】
本実施形態による映像信号処理装置３００の動作は、実施形態１に関連した図５と概ね同じである。相違点は、図５の「撮影制御信号」に加えて、「符号化部８１内のレート制御部６１から出力された信号」が用いられる点である。
【産業上の利用可能性】
【０１４８】
以上述べたように本発明による映像信号処理装置は、撮像制御情報を用いることにより、あらゆる撮影条件下で最適な輪郭強調処理を行うことができる。また、複数の符号化情報を用いることにより、符号化による画質劣化を招くことなく適切な輪郭強調処理を行うことができる。また、あらゆる撮像条件と符号化状態に対応した最適な輪郭強調処理を行うことができる。よって、常に画質の向上を図ることができるという効果を得ることができる。また、非常に処理量の少ない簡単な方法で実現できるので、処理に利用する撮像制御情報の種類が増加したとしても、回路規模やメモリ量などのコスト増大を招くこともなく導入可能である。
【０１４９】
よって、本発明はデジタルビデオカメラやビデオレコーダなどに用いる各種の映像信号処理装置やソフトウェアに極めて有用である。
【図面の簡単な説明】
【０１５０】
【図１】実施形態１による映像信号処理装置１００の構成を示すブロック図である。
【図２】輪郭強調処理部４１の詳細な構成を示す図である。
【図３Ａ】第１のパラメータ決定部３１に保持されている、ズーム速度とゲイン値との関係を示す図である。
【図３Ｂ】第２のパラメータ決定部３２に保持されている、映像信号処理装置１００本体の動き量とゲイン値との関係を示す図である。
【図３Ｃ】第３のパラメータ決定部３３に保持されている、絞り値とゲイン値との関係を示す図である。
【図３Ｄ】第４のパラメータ決定部３４に保持されている、シャッタ速度とゲイン値との関係を示す図である。
【図３Ｅ】第５のパラメータ決定部３５に保持されている、ＡＧＣ値とゲイン値との関係を示す図である。
【図４】輪郭強調ゲイン値に変化幅を持たせたときの選択部３６からの出力信号の応答（輪郭強調ゲイン値）を示す図である。
【図５】映像信号処理装置１００の処理の手順を示すフローチャートである。
【図６】実施形態２による映像信号処理装置２００の構成を示すブロック図である。
【図７Ａ】第６のパラメータ決定部７１に保持されている、量子化パラメータとゲイン値との関係を示す図である。
【図７Ｂ】第７のパラメータ決定部７２に保持されている、符号量とゲイン値との関係を示す図である。
【図７Ｃ】第８のパラメータ決定部７３に保持されている、累積誤差量とゲイン値との関係を示す図である。
【図７Ｄ】第８のパラメータ決定部７３に保持されている、目標記録ビットレートとゲイン値との関係を示す図である。
【図８】実施形態３による映像信号処理装置３００の構成を示すブロック図である。
【図９】輪郭成分抽出部９１に備えられたハイパスフィルタに与える複数種類のフィルタ係数に基づく周波数特性を示す図である。
【図１０】従来の撮像装置の構成を示す構成図である。
【図１１】従来の撮像装置の符号化部８１の構成を示す図である。
【符号の説明】
【０１５１】
２０    撮像部
３１〜３５、７１〜７４    パラメータ決定部
３６    選択部
４１    輪郭強調処理部
４２    撮像制御部
４４    信号処理部
４５、８３、８４    輪郭強調制御部
６１    レート制御部
８１    符号化部
【図１】
0005414287.tif 000002
【図２】
0005414287.tif 000003
【図３Ａ】
0005414287.tif 000004
【図３Ｂ】
0005414287.tif 000005
【図３Ｃ】
0005414287.tif 000006
【図３Ｄ】
0005414287.tif 000007
【図３Ｅ】
0005414287.tif 000008
【図４】
0005414287.tif 000009
【図５】
0005414287.tif 000010
【図６】
0005414287.tif 000011
【図７Ａ】
0005414287.tif 000012
【図７Ｂ】
0005414287.tif 000013
【図７Ｃ】
0005414287.tif 000014
【図７Ｄ】
0005414287.tif 000015
【図８】
0005414287.tif 000016
【図９】
0005414287.tif 000017
【図１０】
0005414287.tif 000018
【図１１】
0005414287.tif 000019